(57)【要約】【課題】背凭れ等の椅子用荷重支持部材の荷重支持面の形状の自由度を高め、立体的な形状の荷重支持面を、容易に形成する。【解決手段】背凭れ部６は、張材６５と、背枠６０と、を備える。背枠６０は、一対の縦杆６２と、一対の縦杆６２の上端部６２ａ同士を連結する上杆６３と、一対の縦杆６２の下端部６２ｂ同士を連結する下杆と、を備える。張材６５は、一対の縦杆６２の間において、左右方向に沿った張力Ｔ１が付与された状態で固定された第一の部位Ａ１と、下杆において、左右方向の中央部に、下杆側に引っ張る張力Ｔ２が付与された状態で固定された第二の部位Ａ３と、下杆において、左右方向の両端部に固定された一対の第三の部位Ａ４と、を備える。第二の部位Ａ３は、第一の部位Ａ１、及び第二の部位Ａ３よりも高い張力が付与されている。【選択図】図１
2018075109.tif 000002
【特許請求の範囲】
【請求項１】
着座者の荷重を受ける荷重支持面を形成する張材と、
前記張材の外周端部を支持する枠材と、
を備え、
前記枠材は、
前記張材の荷重支持面に沿った第一の方向に延び、前記第一の方向に交差する第二の方向に離間して設けられた一対の第一の枠杆と、
一対の前記第一の枠杆の一端部同士を連結する第二の枠杆と、
を備え、
前記張材は、
一対の前記第一の枠杆の間において、前記第二の方向に沿った張力が付与された状態で固定された第一の部位と、
前記第二の枠杆側に引っ張る張力が付与された状態で、前記第二の枠杆の前記第二の方向の中央部に固定された第二の部位と、
前記第二の枠杆において、前記第二の方向の両端部に固定された一対の第三の部位と、
を備え、
前記第二の部位は、前記第一の部位、及び前記第三の部位よりも高い張力が付与されている椅子用荷重支持部材。
【請求項２】
前記第二の部位は、前記第二の枠杆に対し、前記第二の方向に間隔を空けた二点以上で固定されている、請求項１に記載の椅子用荷重支持部材。
【請求項３】
前記第一の枠杆は、前記第一の枠杆の前記一端部と他端部との間の中間部に、前記荷重支持面に対する荷重入力方向と反対方向に突出する突出部を有し、
前記張材の前記第一の部位は、前記第一の枠杆において前記突出部よりも前記第一の方向において前記他端部側の領域に形成されている、請求項１または２に記載の椅子用荷重支持部材。
【請求項４】
床面に設置される脚部と、
前記脚部に支持された座体と、
前記脚部に支持された、請求項１から３のいずれか一項に記載の椅子用荷重支持部材からなる背凭れと、
を備える椅子。
【請求項５】
請求項１から３のいずれか一項に記載の椅子用荷重支持部材に用いられる張材であって、
一対の前記第一の枠杆の間において、前記第二の方向に沿った張力が付与された状態で一対の前記第一の枠杆に固定される第一の周縁部と、
前記第二の枠杆側に引っ張る張力が付与された状態で、前記第二の枠杆の前記第二の方向の中央部に固定される第二の周縁部と、
前記第二の枠杆において、前記第二の方向の両端部に固定される一対の第三の周縁部と、
を備える張材。
【請求項６】
前記第二の周縁部は、前記第三の周縁部よりも前記第一の方向に突出して形成されている、請求項５に記載の張材。
【請求項７】
前記第二の周縁部において前記第二の方向の両端部は、前記第一の方向において前記他端部側に向かって凹状に形成されている、請求項６に記載の張材。
【請求項８】
請求項１から３のいずれか一項に記載の椅子用荷重支持部材の組立方法であって、
一対の前記第一の枠杆の間において、前記第二の方向に沿った張力を付与した状態で、前記張材の前記第一の部位を固定する工程と、
前記第二の枠杆側に引っ張る方向の張力を付与した状態で、前記張材の前記第二の部位を前記第二の枠杆の前記第二の方向の中央部に固定する工程と、
前記第二の枠杆の前記第二の方向の両端部に前記張材の前記第三の部位を固定する工程と、
を備える椅子用荷重支持部材の組立方法。
【発明の詳細な説明】
【技術分野】
【０００１】
本発明は、椅子用荷重支持部材、椅子、張材、及び椅子用荷重支持部材の組立方法に関する。
【背景技術】
【０００２】
座面の後部より起立する背凭れを備え、この背凭れが、ネット状の張材と、張材の外周部を保持する背枠と、を備えた構成の椅子が知られている。
このような椅子の背凭れにおいては、ネット状の張材の表面形状、すなわち背凭れの荷重支持面の形状は、張材の外周部を保持する背枠の形状によって決まる。このため、ネット状の張材を用いた背凭れにおいては、例えば荷重支持面の一部を後方に窪ませる等が困難であり、荷重支持面の形状の自由度が低い。
【０００３】
これに対し、例えば特許文献１には、荷重支持面を、複数枚のネット状の張材を互いに縫い合わせることで形成した構成が開示されている。この構成においては、張材同士を縫い合わせるシーム部によって、シーム部が連続する方向の張力を付与することで、荷重支持面の形状を立体的なものとしている。
【０００４】
また、特許文献２には、荷重支持面を形成するネット状の張材の一部を、背枠に設けた形状保持部材で後方に引っ張るように保持することによって、荷重支持面の形状を立体的なものとする構成が開示されている。
【先行技術文献】
【特許文献】
【０００５】
【特許文献１】国際公開第２００５−１１２７０４号
【特許文献２】特開２０１１−２４７９１号公報
【発明の概要】
【発明が解決しようとする課題】
【０００６】
しかしながら、特許文献１に開示された構成においては、複数枚の張材を互いに縫い合わせなければならず、手間が掛かる。
また、特許文献２に開示された構成においては、背凭れの組立時に、背枠に設けた形状保持部材に張材の一部を固定しなければならず、手間が掛かる。
そこでなされた本発明の目的は、背凭れ等の椅子用荷重支持部材の荷重支持面の形状の自由度を高め、立体的な形状の荷重支持面を容易に形成することのできる椅子用荷重支持部材、椅子、張材、及び椅子用荷重支持部材の組立方法を提供することである。
【課題を解決するための手段】
【０００７】
本発明は、上記課題を解決するため、以下の手段を採用する。
この発明に係る椅子用荷重支持部材は、着座者の荷重を受ける荷重支持面を形成する張材と、前記張材の外周端部を支持する枠材と、を備える。前記枠材は、前記張材の荷重支持面に沿った第一の方向に延び、前記第一の方向に交差する第二の方向に離間して設けられた一対の第一の枠杆と、一対の前記第一の枠杆の一端部同士を連結する第二の枠杆と、
を備える。前記張材は、一対の前記第一の枠杆の間において、前記第二の方向に沿った張力が付与された状態で固定された第一の部位と、前記第二の枠杆側に引っ張る張力が付与された状態で、前記第二の枠杆の前記第二の方向の中央部に固定された第二の部位と、前記第二の枠杆において、前記第二の方向の両端部に固定された一対の第三の部位と、を備える。前記第二の部位は、前記第一の部位、及び前記第三の部位よりも高い張力が付与されている。
【０００８】
このように、一対の第一の枠杆の間の第一の部位において、一対の第一の枠杆が対向する方向である第二の方向に沿った張力を付与し、第二の方向の中央部において第二の枠杆に固定される第二の部位に、第二の枠杆側に引っ張る方向の張力を付与した。このような構成によって、単に張材の外周部を枠材に固定した場合に比較すると、張材によって形成される荷重支持面は、第二の部位において荷重入力方向に窪んだ形状となる。このようにして、荷重支持面を、より立体的な形状とすることができる。
第二の部位は、第一の部位、及び第三の部位よりも高い張力が付与されているので、張材は、第二の部位において、より大きく窪む。
【０００９】
また、この発明に係る椅子用荷重支持部材は、上記椅子用荷重支持部材において、前記第二の部位は、前記第二の枠杆に対し、前記第二の方向に間隔を空けた二点以上で固定されているようにしてもよい。
【００１０】
このように、張材を第二の枠杆に対して二点以上で固定することで、第二の部位に付与された第二の枠杆側に引っ張る方向の張力は、張材を第二の枠杆に固定した点を基点として第一の方向において第一の枠杆の他端部側に向かって線状に作用する。これによって、張材において、第二の枠杆に固定された点から第一の方向において他端部側に向かって視認できる線が形成され、窪んだ部位を視認しやすくさせることができる。
【００１１】
また、この発明に係る椅子用荷重支持部材は、上記椅子用荷重支持部材において、前記第一の枠杆は、前記第一の枠杆の前記一端部と他端部との間の中間部に、前記荷重支持面に対する荷重入力方向と反対方向に突出する突出部を有し、前記張材の前記第一の部位は、前記第一の枠杆において前記突出部よりも前記第一の方向において前記他端部側の領域に形成されているようにしてもよい。
【００１２】
このように構成することで、第一の枠杆の突出部よりも第一の方向において他端部側に位置する第一の部位に、第二の方向に沿った張力が作用する一方、第一の枠杆の突出部よりも第二の枠杆側である他端側には、第二の方向に沿った張力が作用しにくくなる。このように、第一の枠杆に突出部を設けることで、第二の方向に沿った張力が作用する領域を、明確に形成することができる。
また、張材に付与された第二の方向の張力は、一対の第一の枠杆の突出部同士を直線状に結ぶように作用する。これに対し、第二の部位において張材に第二の枠杆側に引っ張る方向の張力を付与すると、付与された張力は、第二の枠杆と、一対の第一の枠杆の突出部同士とを結ぶ領域に集中的に作用する。したがって、張材による荷重支持面は、第二の枠杆と、一対の第一の枠杆の突出部同士とを結ぶ領域である第二の部位で、効果的に窪む。
【００１３】
この発明に係る椅子は、床面に設置される脚部と、前記脚部に支持された座体と、前記脚部に支持された、上記したような椅子用荷重支持部材からなる背凭れと、を備える。
【００１４】
このように構成することで、張材によって形成される背凭れの荷重支持面の第二の部位を、窪んだ形状とすることができる。このようにして、荷重支持面を、より立体的な形状とすることができる。
【００１５】
この発明に係る張材は、上記したような椅子用荷重支持部材に用いられる張材であって、一対の前記第一の枠杆の間において、前記第二の方向に沿った張力が付与された状態で一対の前記第一の枠杆に固定される第一の周縁部と、前記第二の枠杆側に引っ張る張力が付与された状態で、前記第二の枠杆の前記第二の方向の中央部に固定される第二の周縁部と、前記第二の枠杆において、前記第二の方向の両端部に固定される一対の第三の周縁部と、を備える。
【００１６】
このように構成の張材を用いることで、上記したような椅子用荷重支持部材を形成することができる。
【００１７】
また、この発明に係る張材は、上記張材において、前記第二の周縁部は、前記第三の周縁部よりも前記第一の方向に突出して形成されているようにしてもよい。
【００１８】
このように構成することで、第三の周縁部よりも突出した第二の周縁部を第二の枠杆側に容易に引っ張ることができ、第二の部位を形成するための張力を容易に付与することができる。
【００１９】
また、この発明に係る張材は、上記張材において、前記第二の周縁部において前記第二の方向の両端部は、前記第一の方向において前記他端部側に向かって凹状に形成されているようにしてもよい。
【００２０】
このように構成することで、第二の周縁部を前記第二の枠杆側に引っ張って張力を付与したときに、第二の周縁部の両側の第三の周縁部に張力が及びにくくなる。
【００２１】
この発明に係る椅子用荷重支持部材の組立方法は、上記したような椅子用荷重支持部材の組立方法であって、一対の前記第一の枠杆の間において、前記第二の方向に沿った張力を付与した状態で、前記張材の前記第一の部位を固定する工程と、前記第二の枠杆側に引っ張る方向の張力を付与した状態で、前記張材の前記第二の部位を前記第二の枠杆の前記第二の方向の中央部に固定する工程と、前記第二の枠杆の前記第二の方向の両端部に前記張材の前記第三の部位を固定する工程と、を備える。
【００２２】
このように構成することで、上記したような椅子用荷重支持部材を、容易かつ確実に製作することができる。
【発明の効果】
【００２３】
この発明に係る椅子用荷重支持部材、椅子、張材、及び椅子用荷重支持部材の組立方法によれば、背凭れ等の椅子用荷重支持部材の荷重支持面の形状の自由度を高め、立体的な形状の荷重支持面を、容易に形成することが可能となる。
【図面の簡単な説明】
【００２４】
【図１】この発明の一実施形態に係る椅子を斜め前方から見た斜視図である。
【図２】上記椅子を斜め後方から見た斜視図である。
【図３】上記椅子を左方から見た側面図である。
【図４】上記椅子の背凭れ部の構成を示す斜視展開図である。
【図５】上記背凭れ部を構成する背枠を示す斜視図である。
【図６】上記背凭れ部の下杆の構成を示す平断面図である。
【図７】上記背凭れ部の張材によって形成される荷重支持面の形状を示すグリッド図である。
【図８】上記背凭れ部の左右方向中心部の側断面図である。
【図９】上記張材を背枠に装着する前の状態における張材の形状を示す図である。
【発明を実施するための形態】
【００２５】
以下、添付図面を参照して、本発明による椅子用荷重支持部材、椅子、張材、及び椅子用荷重支持部材の組立方法を実施するための形態を説明する。しかし、本発明はこの実施形態のみに限定されるものではない。
なお、以下の説明においては、椅子の背凭れ部に背中を向けて正規姿勢で着座した人の正面を向く向きを「前」と呼び、それと逆側の向きを「後」と呼ぶものとする。また、椅子に正規姿勢で着座した人の上方を向く向きを「上」、それと逆側の向きを「下」と呼び、椅子１に正規姿勢で着座した人の左方を「左」、右方を「右」と呼ぶものとする。
【００２６】
図１は、この発明の一実施形態に係る椅子を斜め前方から見た斜視図である。図２は、上記椅子を斜め後方から見た斜視図である。図３は、上記椅子を左方から見た側面図である。図４は、上記椅子の背凭れ部の構成を示す斜視展開図である。図５は、上記背凭れ部を構成する背枠を示す斜視図である。図６は、上記背凭れ部の下杆の構成を示す平断面図である。図７は、上記背凭れ部の張材によって形成される荷重支持面の形状を示すグリッド図である。図８は、上記背凭れ部の左右方向中心部の側断面図である。図９は、上記張材を背枠に装着する前の状態における張材の形状を示す図である。
【００２７】
図１〜図３に示すように、この実施形態の椅子１は、床面Ｆ上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背中を支持する背凭れ部６と、を備えている。
【００２８】
脚部２は、キャスタ７ａ付きの多岐脚７と、多岐脚７の中央部より起立し昇降機構であるガススプリングを内蔵する脚柱８と、を備えている。
【００２９】
支基３は、脚柱８の上端部に、水平方向に回転可能に取り付けられている。支基３には、脚柱８の昇降調整機構と背凭れ部６の傾動調整機構が内蔵されている。
【００３０】
座体４は、骨格部を成す基板１３と、基板１３の上部に取り付けられるウレタン等から成るクッション材１４と、クッション材１４の外側面から基板１３の外周縁部に掛けてを覆う張材１５と、を備えている。
【００３１】
基板１３は、弾性を有する合成樹脂によって形成され、上面視では四隅が丸みを帯びた略長方形状とされている。基板１３は、支基３上に固定された座受部材５に前後スライド可能に保持されている。
【００３２】
背凭れ部６は、座体４に着座した着座者の背中からの荷重を支持する。この背凭れ部６は、背枠（枠材）６０と、背枠６０に張設された張材６５と、を有している。張材６５の前面は、着座者の荷重を受ける荷重支持面６５ｆとされている。
【００３３】
背枠６０は、その基部６１が、支基３内の傾動調整機構に連結されている。支基３には、操作ノブ１２が設けられており、この操作ノブ１２を操作することで、背枠を前後方向に傾動させるときの反力を調整することができる。
【００３４】
図１〜図５に示すように、背枠６０は、一対の縦杆（第一の枠杆）６２と、上杆６３と、下杆（第二の枠杆）６４と、を備えている。これら縦杆６２、上杆６３、及び下杆６４は、例えば樹脂、アルミ合金等により環状に連続して形成されている。
【００３５】
一対の縦杆６２は、張材６５の荷重支持面６５ｆに沿った上下方向に延び、左右方向に離間して設けられている。縦杆６２は、上端部（他端部）６２ａと下端部（一端部）６２ｂとの間の中間部に、張材６５の荷重支持面６５ｆへの荷重入力方向Ｐ（図３参照）と反対側の前方に突出する突出部６７を有している。
【００３６】
上杆６３は、左右方向に延び、一対の縦杆６２の上端部６２ａ同士を連結する。上杆６３は、左右方向の両端部６３ａ，６３ａに対し、左右方向の中央部６３ｂが、荷重支持面６５ｆに対する荷重入力方向Ｐである後方に突出するように形成されている。
【００３７】
下杆６４は、上杆６３に対して上下方向に離間して設けられ、一対の縦杆６２の下端部６２ｂ同士を連結する。下杆６４は、左右方向の両端部６４ａ，６４ａに対し、左右方向の中央部６４ｂが、荷重支持面６５ｆに対する荷重入力方向Ｐである後方に突出するように形成されている。
【００３８】
ここで、図６に示すように、下杆６４は、前方を向き、張材６５が張設される側に、直線状部６４ｐと、斜行部６４ｓとを備えている。直線状部６４ｐは、下杆６４の左右方向の中央部６４ｂに形成され、左右方向に沿って延びている。斜行部６４ｓは、直線状部６４ｐに対して左右方向の両側にそれぞれ連続して形成されている。これら斜行部６４ｓ，６４ｓは、直線状部６４ｐの両端から左右方向外側の両端部６４ａ，６４ａに向かって、荷重入力方向Ｐとは反対方向の前方に傾斜して直線状に延びるよう形成されている。また、下杆６４は、直線状部６４ｐと、斜行部６４ｓとの間に、それぞれ、後方（第三の方向で着座者と反対側）に凸となる角部６４ｔが形成されている。
このような下杆６４は、両端部６４ａ，６４ａに対し、中央部６４ｂの直線状部６４ｐにおける後方への突出寸法Ｓ１が、上杆６３の両端部６３ａ，６３ａに対する中央部６３ｂの後方への突出寸法Ｓ２（図３参照）よりも大きくなるよう形成されている。
【００３９】
このような背枠６０の一対の縦杆６２，６２、および上杆６３の外周縁部には、背凭れ部６の内方に向かって凹む溝６６が周方向に連続して形成されている。
【００４０】
張材６５は、多数の孔が形成されたメッシュ状であり、その外周端部６５ｅが、背枠６０に形成された溝６６、６６ｍ（図８参照）に巻き込まれ、縁材６８によって固定されている。
【００４１】
図１、図７に示すように、この張材６５は、第一の部位Ａ１と、上杆固定部Ａ２と、第二の部位Ａ３と、第三の部位Ａ４，Ａ４と、を備える。
張材６５の第一の部位Ａ１は、一対の縦杆６２、６２の間において、左右方向に沿った張力Ｔ１が付与された状態で固定されている。
図１、図８に示すように、張材６５の上杆固定部Ａ２は、第一の部位Ａ１の上方において、上杆６３に固定されている。
張材６５の第二の部位Ａ３は、下杆６４の左右方向の中央部６４ｂに形成された直線状部６４ｐに向かって引っ張る張力Ｔ２が付与された状態で固定されている。ここで、第二の部位Ａ３は、第一の部位Ａ１、及び第三の部位Ａ４よりも高い張力が付与されているのが好ましい。
張材６５の第三の部位Ａ４，Ａ４は、第二の部位Ａ３の左右方向両側に形成され、下杆６４の左右方向の両端部６４ａ，６４ａに形成された斜行部６４ｓ，６４ｓに、特に張力を付与することなく固定されている。
【００４２】
ここで、第二の部位Ａ３は、下杆６４の直線状部６４ｐに対し、下杆６４の方向へ強く引っ張られた状態で固定されている。この実施形態では、図６に示すように、第二の部位Ａ３は、下杆６４の直線状部６４ｐの両端部間の全長にわたって固定されている。
また、張材６５は、下杆６４においては、直線状部６４ｐと、斜行部６４ｓ，６４ｓと、直線状部６４ｐの左右方向両側の角部６４ｔ，６４ｔと、に沿って固定されている。詳しくは、図８に示すように、下杆６４には、その前面に沿って固定部材６９が設けられている。この固定部材６９は、下杆６４の前面に形成された凹部６４ｕに固定される基部６９ａと、下杆６４の前面との間に前後方向に間隔をあけて下方に延びる延出部６９ｂと、を備えている。張材６５は、下杆６４の前面と、固定部材６９の延出部６９ｂとの間に形成される下向きの溝６６ｍに間に巻き込んで縁材６８（図４参照）によって固定されている。
【００４３】
このように構成することで、縦杆６２の突出部６７よりも上杆６３側の領域である第一の部位Ａ１に、左右方向に沿った張力Ｔ１が作用する。張材６５に付与された左右方向の張力Ｔ１は、一対の縦杆６２の突出部６７同士を直線状に結ぶように作用する。このように、縦杆６２に突出部６７を設けることで、縦杆６２の突出部６７よりも下杆６４側には左右方向に沿った張力Ｔ１が作用しにくくなる。
【００４４】
これに対し、縦杆６２の突出部６７よりも下杆６４側の領域に形成された第二の部位Ａ３は、図８に示すように、張材６５を下杆６４の直線状部６４ｐに向けて引っ張ることによって、下方を向く成分Ｔｄおよび荷重入力方向Ｐの成分Ｔｐを含む張力Ｔ２が付与される。図１に示すように、この張力Ｔ２は、張材６５において、下杆６４の左右方向中央部の直線状部６４ｐ（図６参照）と、一対の縦杆６２の突出部６７同士とを直線状に結ぶ、略台形の領域Ｄに集中的に作用する。したがって、第二の部位Ａ３において、張材６５の荷重支持面６５ｆは、後方に窪む。
さらに、張材６５を下杆６４の直線状部６４ｐの両端部の少なくとも二点の角部６４ｔ，６４ｔで固定することで、張材６５には、直線状部６４ｐの左右方向両端部から、上方（第一の方向において第一の枠杆の他端部側）の縦杆６２の突出部６７，６７に向かって漸次広がるように延びる稜線Ｌが形成される。ここで、張材６５は、第三の部位Ａ４に張力が付与されておらず、また、張材６５の下部には、左右方向の張力Ｔ１が作用していない。これによって張材６５の下部は、第二の部位Ａ３および第三の部位Ａ４が、下杆６４から浮き上がりにくくなる。したがって、第二の部位Ａ３における窪みが、視覚的により顕著となる。
【００４５】
上記したような背凭れ部６の組立を行うには、まず、一対の縦杆６２の間において、左右方向に沿った張力Ｔ１を付与した状態で、張材６５の第一の部位Ａ１を固定するとともに、上杆６３に上杆固定部Ａ２を固定する。
次いで、張材６５の左右方向の中央部に、下杆６４側に引っ張る張力Ｔ２を付与した状態で第二の部位Ａ３を下杆６４の直線状部６４ｐに固定する。
しかる後、張材６５を、下杆６４の左右方向の両側の斜行部６４ｓ，６４ｓに、一対の第三の部位Ａ４をそれぞれ固定する。
このように構成することで、上記したような背凭れ部６を組み立てることができる。
【００４６】
ところで、図９に示すように、背凭れ部６を構成する張材６５は、背枠６０に張設しない状態で、全体として背枠６０の外形形状に沿った形状を有している。すなわち、張材６５は、一対の縦杆６２の間において、左右方向に沿った張力Ｔ１が付与された状態で一対の縦杆６２に固定される第一の周縁部６５ａ，６５ａと、上杆６３に固定される上部縁部６５ｂと、下杆６４側に引っ張る張力Ｔ２が付与された状態で、下杆６４の左右方向の中央部の直線状部６４ｐに固定される第二の周縁部６５ｃと、下杆６４において左右方向の両端部の斜行部６４ｓ，６４ｓに固定される一対の第三の周縁部６５ｄ，６５ｄと、を備える。
【００４７】
ここで、第二の周縁部６５ｃには、その左右方向両側の第三の周縁部６５ｄ，６５ｄよりも下方に突出した帯状部６５ｘが形成されている。上記したような背凭れ部６の組立方法によって張材６５を背枠６０に装着するときには、この帯状部６５ｘを下方に引っ張って張力Ｔ２を付与した状態で、第二の周縁部６５ｃを下杆６４の直線状部６４ｐに固定する。
また、この帯状部６５ｘの左右方向両側の根元部分６５ｎ，６５ｎは、上方に向かって凹状とされている。これにより、帯状部６５ｘに張力Ｔ２を付与したときに、その左右方向両側の第三の周縁部６５ｄ，６５ｄ（第三の部位Ａ４，Ａ４）に、張力Ｔ２が及びにくくなっている。
さらに、第三の周縁部６５ｄ，６５ｄは、下方に向けて凸をなす曲線形状に形成されている。第二の周縁部６５ｃを下方に向けて強く引っ張って下杆６４に固定する一方で、第三の周縁部６５ｄ，６５ｄは、強く引っ張らずに下杆６４の斜行部６４ｓ，６４ｓの溝６６に巻き込むことで、第三の部位Ａ４が張力を発生しないようにしている。
【００４８】
上述したように、一対の縦杆６２の間の第一の部位Ａ１において、一対の縦杆６２が対向する方向である左右方向に沿った張力Ｔ１を付与し、左右方向の中央部において下杆６４に固定された第二の部位Ａ３に、下杆６４側に引っ張る張力Ｔ２を付与した。このような構成によって、張材６５によって形成される荷重支持面６５ｆは、単に張材６５の外周部を背枠６０に固定した場合に比較すると、第二の部位Ａ３によって荷重支持面６５ｆの左右方向の中央部が後方に窪んだ形状となる。このようにして、荷重支持面６５ｆを、より立体的な形状とすることができる。しかも、張力Ｔ１、Ｔ２を順次付与しながら張材６５を背枠６０に固定すればよいので、背凭れ部６の組立作業を容易に行うことができる。
また、第二の部位Ａ３に下杆６４側に引っ張る張力Ｔ２を付与することで、荷重支持面６５ｆは、左右方向の中央部が後方に窪んだ形状となるので、荷重支持面６５ｆが使用者の背中のホールド性に優れた形状となる。
また、第二の部位Ａ３は、第一の部位Ａ１、及び第二の部位Ａ３よりも高い張力が付与されているようにした。このように構成することで、張材６５は、第二の部位Ａ３において、より大きく窪む。
これにより、背凭れ部６の荷重支持面６５ｆの形状の自由度を高め、立体的な形状の荷重支持面を、容易に形成することが可能となる。
【００４９】
また、張材６５の第二の部位Ａ３において、下杆６４に対して左右方向に間隔をあけた二点以上で固定することで、第二の部位Ａ３に付与された下杆６４側に引っ張る張力Ｔ２は、張材６５を下杆６４に固定した点から上杆６３側に向かって線状に明確に作用する。これによって張材６５に視認できる稜線Ｌを形成することができ、第二の部位Ａ３における窪みが、視覚的により顕著となる。
【００５０】
また、縦杆６２は、上端部６２ａと下端部６２ｂとの間の中間部に、荷重入力方向Ｐと反対側の前方に突出する突出部６７を有し、張材６５の第一の部位Ａ１は、縦杆６２において突出部６７よりも上端部６２ａ側の領域に形成されている。このように構成することで、縦杆６２の突出部６７よりも上杆６３側の第一の部位Ａ１に、左右方向に沿った張力Ｔ１が作用する一方、縦杆６２の突出部６７よりも下杆６４側には、左右方向に沿った張力Ｔ１が作用しにくくなる。このように、縦杆６２に突出部６７を設けることで、左右方向に沿った張力Ｔ１が作用する領域を、明確に形成することができる。
また、張材６５に付与された左右方向の張力Ｔ１は、一対の縦杆６２の突出部６７同士を直線状に結ぶように作用する。これに対し、第二の部位Ａ３において、張材６５に下杆６４側に引っ張る張力Ｔ２を付与すると、付与された張力Ｔ２は、下杆６４の直線状部６４ｐと、一対の縦杆６２の突出部６７同士とを結ぶ台形状の領域Ｄに集中的に作用する。したがって、張材６５による荷重支持面６５ｆは、下杆６４と、一対の縦杆６２の突出部６７同士とを結ぶ領域に位置する第二の部位Ａ３で、効果的に窪む。
【００５１】
また、下杆６４は、両端部６４ａ，６４ａに対する中央部６４ｂの後方への突出寸法Ｓ１が、上杆６３の両端部６３ａ，６３ａに対する中央部６３ｂの後方への突出寸法Ｓ２よりも大きくなるよう形成されている。このように構成することで、第二の部位Ａ３に付与される張力Ｔ２によって、張材６５の第二の部位Ａ３は、より効果的に後方に窪んだ形状となる。
【００５２】
また、下杆６４は、直線状部６４ｐと、直線状部６４ｐに対して左右方向の両側に連続して形成された斜行部６４ｓ，６４ｓと、を一体に備える。このように構成することで、張材６５の第二の部位Ａ３を、効率良く後方に窪んだ形状とすることができる。
【００５３】
また、背凭れ部６を構成する張材６５は、背枠６０に張設しない状態で、一対の縦杆６２の間において、左右方向に沿った張力Ｔ１が付与された状態で一対の縦杆６２に固定される第一の周縁部６５ａ，６５ａと、下杆６４側に引っ張る張力Ｔ２が付与された状態で、下杆６４の左右方向の中央部の直線状部６４ｐに固定される第二の周縁部６５ｃと、下杆６４において左右方向の両端部の斜行部６４ｓ，６４ｓに固定される一対の第三の周縁部６５ｄ，６５ｄと、を備えている。
このような張材６５の第一の周縁部６５ａ，６５ａ、第二の周縁部６５ｃ、第三の周縁部６５ｄ，６５ｄを、一対の縦杆６２，６２、下杆６４にそれぞれ固定することで、上記したような立体的な荷重支持面６５ｆを有した背凭れ部６を形成することができる。
【００５４】
また、張材６５は、下杆６４の直線状部６４ｐに固定することによって第二の部位Ａ３を形成する第二の周縁部６５ｃに、第三の周縁部６５ｄ，６５ｄよりも上下方向に突出した帯状部６５ｘが形成されている。このように構成することで、帯状部６５ｘを下方に引っ張って張力Ｔ２を付与した状態で、第二の周縁部６５ｃを下杆６４の直線状部６４ｐに固定することで、第二の部位Ａ３に張力Ｔ２を効率良く付与することができる。
【００５５】
また、張材６５は、第二の周縁部６５ｃにおいて、帯状部６５ｘの左右方向両側の根元部分６５ｎ，６５ｎは、上方に向かって凹状とされている。これにより、帯状部６５ｘに張力Ｔ２を付与したときに、その左右方向両側の第三の周縁部６５ｄ，６５ｄ（第三の部位Ａ４，Ａ４）に、張力Ｔ２が及びにくくなる。
【００５６】
また、上述したような背凭れ部６の組立方法は、一対の縦杆６２の間において、左右方向に沿った張力Ｔ１を付与した状態で、張材６５の第一の部位Ａ１を固定する工程と、左右方向の中央部に、下杆６４側に引っ張る張力Ｔ２を付与した状態で第二の部位Ａ３を下杆６４に固定する工程と、下杆６４の左右方向の両端部に一対の第三の部位Ａ４を固定する工程と、を備える。
このように構成することで、背凭れ部６を、容易かつ確実に製作することができる。
【００５７】
（その他の実施形態）
なお、この発明は上記の実施形態に限定されるものではなく、その要旨を逸脱しない範囲で種々の設計変更が可能である。例えば、上記の実施形態は、荷重支持体が背凭れ部である実施形態であるが、同様の構造を座体に採用することも可能である。
また、例えば、張材６５は、第二の周縁部６５ｃと第三の周縁部６５ｄ，６５ｄとで上下方向（第一の方向）の位置に差があることで、第二の部位Ａ３に作用した張力Ｔ２が第三の部位Ａ４，Ａ４に及ばないようになっていれば、どのような形状としてもよい。例えば、第三の周縁部６５ｄ，６５ｄが第二の周縁部６５ｃよりも下方に大きく突出していても良いし、第二の周縁部６５ｃが第三の周縁部６５ｄ，６５ｄよりも下方に突出するようにしてもよい。
また、下杆６４の直線状部６４ｐの両端部間の全長にわたって、張材６５の第二の周縁部６５ｃを固定することで第二の部位Ａ３を形成するようにしたが、稜線Ｌを形成することができるのであれば、第二の部位Ａ３は、下杆６４に対し、左右方向に間隔を空けた二点以上で固定されていればよい。
また、例えば、下杆６４は、直線状部６４ｐと、直線状部６４ｐに対して左右方向の両側に連続して形成された斜行部６４ｓ，６４ｓと、を一体に備えるようにしたが、これに限らない。例えば、下杆６４の、直線状部６４ｐと、斜行部６４ｓのいずれか一方を、第三の方向において着座者と反対側に向かって凸となる曲線状としてもよい。また、下杆６４を、第三の方向において着座者と反対側に向かって凸となる湾曲形状とし、第二の方向の中央部と、中央部に対して第二の方向の両端部とで、湾曲形状の曲率を異ならせるようにしても良い。
また、張材６５を下杆６４の直線状部６４ｐと、斜行部６４ｓ，６４ｓと、直線状部６４ｐの左右方向両側の角部６４ｔ，６４ｔと、に沿って固定するには、張材６５を溝６６に巻き込んで縁材６８で固定する他、前方から押し付ける保持部材で固定してもよいし、タッカー等によって固定してもよい。
また、上記実施形態では、張材６５を上杆６３に固定するようにしたが、張材６５を上杆６３には固定しない構成とすることもできる。
また、背枠６０は、上杆６３を備えず、一対の縦杆６２，６２、および下杆６４のみを備える構成とすることもできる。
【符号の説明】
【００５８】
１  椅子
２  脚部
４  座体
６  背凭れ部
６０  背枠（枠材）
６２  縦杆（第一の枠杆）
６２ａ  上端部（他端部）
６２ｂ  下端部（一端部）
６３  上杆
６３ａ  端部
６３ｂ  中央部
６４  下杆（第二の枠杆）
６４ａ  端部
６４ｂ  中央部
６４ｐ  直線状部
６４ｓ  斜行部
６４ｔ  角部
６５  張材
６５ａ  第一の周縁部
６５ｂ  上部縁部
６５ｃ  第二の周縁部
６５ｄ  第三の周縁部
６５ｅ  外周端部
６５ｆ  荷重支持面
６５ｘ  帯状部
６７  突出部
Ａ１  第一の部位
Ａ２  上杆固定部
Ａ３  第二の部位
Ａ４  第三の部位
Ｄ  領域
Ｆ  床面
Ｌ  稜線
Ｐ  荷重入力方向
Ｓ１、Ｓ２  突出寸法
Ｔ１  左右方向の張力
Ｔ２  下杆側に引っ張る張力
【図１】
2018075109.tif 000003
【図２】
2018075109.tif 000004
【図３】
2018075109.tif 000005
【図４】
2018075109.tif 000006
【図５】
2018075109.tif 000007
【図６】
2018075109.tif 000008
【図７】
2018075109.tif 000009
【図８】
2018075109.tif 000010
【図９】
2018075109.tif 000011